(57)【要約】 【課題】記録容量の有効的な配置とランダムアクセス性の重視といった光記録媒体のフォーマット的に相容れない機能の両立をはかる．【解決手段】複数枚の薄型光ディスク１０を同一のマガジンケース２に格納する光ディスクマガジン１において、管理情報を記録するランダムアクセス用光ディスクフォーマット光ディスク１１とシーケンシャル記録用光ディスク１２を共に収納する。【選択図】図１
2007265514.tif 000002
【特許請求の範囲】
【請求項１】
複数枚の薄型光ディスクを同一マガジン内に格納した光ディスクマガジンシステムであって、前記マガジン内に、
ランダムアクセス性に優れた記録・再生フォーマットを用いてフォーマットされた管理データ記録用の薄型光ディスクと、
該管理データ記録用の薄型光ディスクとは異なる単位記録長の長いデータを記録するために適した記録・再生フォーマットを用いてフォーマットされた情報データ記録用の薄型光ディスクと
を備えていることを特徴とする光ディスクマガジンシステム。
【請求項２】
同一マガジン内に複数枚の薄型光ディスクを格納した光ディスクマガジンシステムに情報を記録し、又は光ディスクマガジンシステムの複数枚の薄型光ディスクに記録された情報を再生する光ディスク記録・再生システムであって、
ランダムアクセス性に優れた記録・再生フォーマットを用いてフォーマットされ、前記マガジン内に格納された管理データ記録用の薄型光ディスクと、
該管理データ記録用の薄型光ディスクとは異なる単位記録長の長いデータを記録するために適した記録・再生フォーマットを用いてフォーマットされ、前記マガジン内に格納された情報データ記録用の薄型光ディスクと、
前記管理データ記録用の薄型光ディスクに情報データ記録・再生のための管理データを記録するとともに、記録済みの管理データを再生する管理データ記録・再生手段と、
前記情報データ記録用の薄型光ディスクに前記管理データによって管理される情報データを記録する情報データ記録・再生手段と
を備えていることを特徴とする光ディスク記録・再生システム。
【請求項３】
前記管理データ記録用の薄型光ディスクは、ディスク径方向にアライメントされた物理フォーマットを有する
ことを特徴とする請求項１記載の光ディスクマガジンシステム。
【請求項４】
前記情報データ記録用の薄型光ディスクは、ＣＬＶ記録された光ディスクである
ことを特徴とする請求項１記載の光ディスクマガジンシステム。
【発明の詳細な説明】
【技術分野】
【０００１】
本発明は光記録媒体のマガジン構成、及びその記録・再生に関し、より詳細には光記録媒体を効率良く駆動するための光ディスクマガジンシステム、及び記録・再生システムに関する。
【背景技術】
【０００２】
光記録媒体の光ディスクの分野では、記録データの高密度化に伴い、光学的に必要とする基板の薄形化と、基板表面の平坦性の向上とが一層求められている。これは、記録データの高密度化に対応するためには光ヘッドに備えられる対物レンズの開口数ＮＡを大きくする必要があり、対物レンズの開口数ＮＡを大きくすると基板面傾きの許容範囲が狭くなって、隣接トラックとのクロストークを配慮する必要性がより高まるからである。
【０００３】
しかしながら、基板の薄形化は光ディスク自体の剛性の低下を招き、当然のことながら光ディスクは変形し易くなり、駆動時に面振れ等の不都合が生じ易くなる。
【０００４】
また、光ディスクの記録方法としては、透明基板越しにレーザ光ビームを記録層に照射して記録する方法と、記録層の基板とは相対する面に透光性のカバー層を設け、そのカバー層を介して記録層にレーザ光ビームを照射して記録する方法とがある。後者の方法では、基板の厚さは従前と変わらぬままにしておいてカバー層を薄く設計することにより、より大きな開口数ＮＡの対物レンズを使用することが可能になるので、光ディスクの剛性を損なうことなく、レーザ光ビームを絞って光ディスクに照射でき、高密度化記録を行うことができる。この種の光ディスクは、ハイビジョン画像記録用の光ディスクとして商品化されている（例えば、特許文献１参照）。
【０００５】
その一方で、従来の基板の厚さを保持したまま、従来品の光ディスクとの互換性を考慮しつつ、透明基板越しにレーザ光を記録層に照射して記録データの高密度化を目指す努力も進められている。この場合は、基板の一様性がより一層強く求められことになり、光ディスク製造技術の向上によってその達成を目指すことになる。
【０００６】
現状では、上述したいずれの光ディスクの記録密度を高める方法も一長一短があり、さらなる記録データの高密度化を考慮する時、基板の特性をより高精度なものに仕上げる必要性がある。
【０００７】
また、光ディスクでは、記録データの高密度化とともに、データ転送速度の高速化が求められる。一般的に、記録データの高密度化により取り扱うデータの容量が増えればそれだけ処理時間が増えるため、記録の高密度化と高速データ転送技術とは一体不可分の課題である。そして、光ディスクのデータ転送速度の高速化に関しては、その実現のために光ディスクを高速で回転駆動する必要があり、光ディスクの高速回転駆動は現在まで次々と行われてきた。
【０００８】
さらにまた、光ディスクはそのフォーマット内容により記録するデータに対しての記録方法が異なる。光ディスクでは、比較的長いデータ列になる音楽データや画像データ，動画データ等はできるだけ記録単位を長くすることでエラー訂正処理範囲を広げることにより実効的な記録効率を良くしている。
【０００９】
例えば、ＤＶＤ−ＲやＤＶＤ−ＲＷ，ＤＶＤ＋Ｒ，ＤＶＤ＋ＲＷ，ＤＶＤ−ＲＯＭに対する記録では３２Ｋバイトを単位としてエラー訂正コードＥＣＣ（Error Correcting Code：誤り訂正符号）を付加して処理するが、コンピュータのデータ記録を主体として設計された１３０ｍｍＩＳＯ（International Organization for Standardization：国際標準化機構）光ディスクにおいては、１Ｋバイトや２Ｋバイトを単位としてエラー訂正コードＥＣＣを付加する。
【００１０】
この違いは、記録データ単位をどのように扱うかによって異なるものであって、ＤＶＤの場合は、短いデータファイルであってもそれは音声や音楽，静止画，動画を記憶したデータファイルであり、コンピュータによるデータ記録の場合のように数Ｋバイトで記録するデータ列はほとんど無く、数１００Ｋバイトから数Ｍバイト、あるいは数Ｇバイトといった大きなデータ列を扱うことが多いことによるものである。
【００１１】
これに対し、コンピュータに接続される記録装置では、頻繁に記録・削除，再生作業が行われ、データ列の単位としてはＯＳ（Operating System）の管理上から、従来、５１２バイトから２Ｋバイトを単位として処理されることが普通であった。この記録単位で処理するためには、記録媒体が光ディスクの場合であっても、光ディスクには記録媒体としてのその記録単位（具体的には５１２バイトから２Ｋバイト）に見合ったセクタ容量が求められる。そして、この場合はセクタ単位毎にエラー処理を施さないと信頼性の点で問題が生じる恐れがある。そのため、エラー訂正コードＥＣＣを光ディスクのセクタ単位毎に付加することになるため、このエラー訂正コードＥＣＣに費やす分だけ全体のセクタサイズが大きくなる。
【００１２】
例えば、１３０ｍｍ光ディスクカートリッジ仕様書ＩＳＯ／ＩＥＣ １５２８６を例に、説明する。この仕様は、両面で５．２Ｇバイトの記録容量を有する光磁気記録型光ディスクとして規定している。この仕様で規定しているセクタサイズは３種類あり、それぞれ５１２バイト，１０２４バイト，２０４８バイトのユーザデータサイズである。そしてヘッダーアドレスやエラー訂正コードＥＣＣ等の管理領域を含むセクタサイズは、それぞれ８２６バイト，１４１６バイト，２６３５バイトと規定している。この場合、それぞれのセクタサイズにおけるデータ効率は、６３％，７２％，７８％になる。一方、ＤＶＤ＋ＲＷの仕様ＩＳＯ／ＩＥＣ １６９６９で比較すると、ＥＣＣブロックサイズが３２Ｋバイトであるのに対し、ブロックサイズは３７，５８６バイトあり、そのデータ効率は約８７％にあたる。
【００１３】
このような観点から、光ディスクにおけるセクタサイズの大小は、アプリケーション毎に選別して使われる光ディスクのフォーマットとして知られている。そこで、現状では、光ディスクのアクセス性という観点から、光ディスクがどのような駆動方法で用いられるかに応じて、そのフォーマットを異ならせてきた。つまり、ＣＬＶ駆動とＣＡＶ駆動といった駆動方法の違いに合わせて、光ディスクのフォーマットの配列も異ならせてきた。
【００１４】
ＣＬＶ（constant linear velocity：定線速度）駆動は、記録容量をディスク上に最大限記録できる形態であり、常時データの記録・再生線速度が一定になるようにコントロールする。具体的には、光ディスク内周側の記憶領域に対して情報を記録・再生する場合は、記録箇所の径方向位置が小さいためディスクの回転数を上げて記録し、一方、光ディスク外周側の記憶領域に対して情報を記録・再生する場合は、記録箇所の径方向位置が大きいためディスクの回転数を小さくして記録する。つまり、光ディスクのディスク中心からの半径位置（径方向位置）に対応させて光ディスクの回転数を制御することで、記憶領域における記録箇所の径方向位置にかかわらず記録・再生のための線速度を一定に保つようにしている。
【００１５】
これに対し、ＣＡＶ（Constant Angular Velocity：定角速度）駆動は、記録開始までの時間を短縮して行う制御に向いており、常時ディスクの回転数は固定される。そのため記録・再生位置は半径位置として特定され、光ヘッドの移動と回転待ち時間だけで記録再生を実行できる。
【００１６】
そのため、データアクセスに関しては、ＣＬＶ駆動の場合は、光ディスクの回転数がアクセスデータの径方向位置に対応した所定の回転数に落ち着くまでの時間が必要であり、また、光ディスク上に記録する位置も特定することができないため、ＣＡＶ駆動の場合に対して、そのデータアクセスに時間がかかるという問題点があった。そのため、ＣＬＶ駆動の場合でも、ＣＡＶ駆動による場合と同様に、光ディスク上に記録する位置を特定して記録・再生可能にすることが、データアクセスを速くする点から望まれていた。このような事情から、ＣＡＶ駆動とセクタサイズの効率化を両立させる光ディスクのフォーマットが必要になり、書き換え効率を犠牲にしてその要求を実現させたのが、ＤＶＤ−ＲＡＭである。
【００１７】
ＤＶＤ−ＲＡＭでは、ランダムアクセス性を確保しつつ、ＤＶＤフォーマットのデータ効率化がはかられている。このＤＶＤ−ＲＡＭでは、そのデータ効率を３２ＫバイトのＥＣＣブロックサイズで実現するものであるから、記録・再生及び書き換えは３２ＫバイトのＥＣＣブロックサイズで行う必要がある。その上で、２Ｋバイト単位でも書き換えができるように配慮して２Ｋバイトのセクタサイズでさらにブロックを分割しているが、その記録・再生は、当該ブロックの他の残りのセクタ部分も含めて行うという書き換え効率を犠牲にした仕様になっている。また、ＤＶＤ−ＲＡＭは、そのアクセス性を良くするため、光ディスクの径方向にアライメントされたヘッダ構成を備えたフォーマットになっている。つまり、ＤＶＤ−ＲＡＭの場合は、そのフォーマットがコンピュータ用としても使用可能な環境になっており、記録効率が良くてアクセス性が良い光ディスクとして開発されている。
【００１８】
同じＤＶＤ仕様として位置づけられても、その使い方には、これらＤＶＤの種類によって相違がある。ＤＶＤ−ＲＡＭは、ファイルのインデックス情報を始めとする管理情報を記録するには適当な光ディスクであり、その書き換え耐久性も確保されている。一方のＤＶＤ−ＲＷ，ＤＶＤ＋ＲＷは書き換え可能な光ディスクであるが、ＣＬＶ駆動フォーマットであり、前述したように記録位置をディスク上に特定できない。そのため消去はディスク全体に行う必要があり、ＤＶＤ−ＲＡＭのようにディスクの特定位置のみ消去する、あるいは記録することができない欠点がある。ＤＶＤ−Ｒ、又はＤＶＤ＋Ｒはライトワンスタイプの光ディスクであり、ＣＬＶ駆動フォーマットになっているため記録容量を重視したアプリケーション記録に向いている。このＤＶＤ−Ｒ、又はＤＶＤ＋Ｒを用いて管理情報の更新をする方法が提案され実現されているが、著しくアクセス性を落とし、アクセスを重視するアプリケーションには向いていない。例えば、マルチセッション記録やパケツトライト手法であるが、いずれも記録容量を犠牲にして記録する。
【００１９】
この結果、ＤＶＤ−ＲＡＭは信頼性が高く、他の種類のＤＶＤと比べて情報の書き換えが容易に行えるという利点を有することから、サーバのような大容量で高速アクセス性を要求し、信頼性が重要なサーバシステムでは、記録媒体としてＤＶＤ−ＲＡＭを用いてシステムを構築することが多かった。
【００２０】
【特許文献１】国際公開９７／０５６０７号パンフレット
【発明の開示】
【発明が解決しようとする課題】
【００２１】
しかしながら、システム的に大容量性、特に大量情報を記録保存するためのサーバを構築するためには、その記録媒体としてＤＶＤ−ＲＡＭを用いるだけでは記録容量の有効的配置という観点から不十分であり、新たに記録容量の有効的な配置とランダムアクセス性の重視といった両機能をフォーマット的に兼ね備えた光記録媒体が要請される。ところが、記録容量の有効的配置とランダムアクセス性とを機能的に両立させ、使用記録領域毎に記憶する情報内容に合わせてそのフォーマットを最適化することは、上述したように光記録媒体のフォーマット的に相容れないものである、という問題点があった。
【００２２】
そこで、記録容量の有効的配置を犠牲にしてその記録媒体としてＤＶＤ‐ＲＡＭを用いているわけであるが、ＤＶＤ‐ＲＡＭの製造には複雑なプロセスが要求され、他の光記録媒体と比べて高価であるため、システム全体が高価にならざるを得なかった。
【００２３】
本発明は、このような問題点に鑑みなされたものであって、記録容量の有効的な配置とランダムアクセス性の重視といった光記録媒体のフォーマット的に相容れない機能の両立をはかり、光記録媒体を効率良く駆動することができる光ディスクマガジンシステム、及び記録・再生システムを提供することを目的とする。
【課題を解決するための手段】
【００２４】
本発明は、上記した課題を解決するために、記録情報の管理データ記録専用のランダムアクセス性に優れた薄型光ディスクと、記録情報の情報データ記録専用の単位記録長の長いデータを記録するために適した薄型光ディスクとを同一光ディスクマガジン内に格納し、記録情報の管理データと記録情報の情報データとを、それぞれデータの記録目的の違いに応じて最適な記録・再生フォーマットの専用薄型光ディスクに記録できるようにしたことを特徴とする。
【００２５】
そのために、本発明の光ディスクマガジンシステムは、複数枚の薄型光ディスクを同一マガジン内に格納した光ディスクマガジンシステムであって、マガジン内に、ランダムアクセス性に優れた記録・再生フォーマットを用いてフォーマットされた管理データ記録用の薄型光ディスクと、管理データ記録用の薄型光ディスクとは異なる単位記録長の長いデータを記録するために適した記録・再生フォーマットを用いてフォーマットされた情報データ記録用の薄型光ディスクとを備えていることを特徴とする。
【００２６】
これにより、データの記録目的がランダム性を追求する記録情報の管理データであるならば、ランダムアクセス性に優れた記録・再生フォーマットの薄型光ディスクを使用して記録し、データの記録目的が保存用のアーカイブデータとしての記録情報の情報データであるならば、単位記録長の長いデータを記録するために適した記録・再生フォーマットの薄型光ディスクを使用して記録することができる。なお、この場合における、ランダムアクセス性に優れた薄型光ディスクとしては、例えばＤＶＤ‐ＲＡＭが、単位記録長の長いデータを記録するために適した薄型光ディスクとしては、例えばＤＶＤ‐Ｒが該当する。ここで、薄型光ディスクとは、基板厚さがＤＶＤの仕様値である０．６ｍｍ未満の基板で構成された光ディスクを指す。
【００２７】
また、本発明は、上記した課題を解決するために、マガジンシステムの同一マガジンに収納されている複数枚の薄型光ディスクの中、ランダムアクセス性に優れた記録・再生フォーマットによる薄型光ディスクにその記録・再生フォーマットで記録情報の中の頻繁に記録再生する管理データを記録し、単位記録長の長いデータを記録するために適した記録・再生フォーマットによる薄型光ディスクにその記録・再生フォーマットで記録情報の中の主たる情報データを記録することを特徴とする。
【００２８】
そのために、本発明の光ディスク記録・再生システムは、同一マガジン内に複数枚の薄型光ディスクを格納した光ディスクマガジンシステムに情報を記録し、又は光ディスクマガジンシステムの複数枚の薄型光ディスクに記録された情報を再生する光ディスク記録・再生システムであって、ランダムアクセス性に優れた記録・再生フォーマットを用いてフォーマットされ、マガジン内に格納された管理データ記録用の薄型光ディスクと、管理データ記録用の薄型光ディスクとは異なる単位記録長の長いデータを記録するために適した記録・再生フォーマットを用いてフォーマットされ、マガジン内に格納された情報データ記録用の薄型光ディスクと、管理データ記録用の薄型光ディスクに情報データ記録・再生のための管理データを記録するとともに、記録済みの管理データを再生する管理データ記録・再生手段と、情報データ記録用の薄型光ディスクに前記管理データによって管理される情報データを記録する情報データ記録・再生手段とを備えていることを特徴とする。
【００２９】
これにより、データの記録目的がランダム性を追求する記録情報の管理データであるならば、管理データ記録・再生手段がランダムアクセス性に優れた記録・再生フォーマットによってマガジン内に格納された管理データ記録用の薄型光ディスクに記録し、データの記録目的が保存用のアーカイブデータとしての記録情報の情報データであるならば、情報データ記録・再生手段が単位記録長の長いデータを記録するために適した記録・再生フォーマットによってマガジン内に格納された情報データ記録用の薄型光ディスクに記録し、同一マガジン内に互いに記録・再生フォーマットが異なる複数枚の薄型光ディスクを使用して、記録容量の有効的な配置とランダムアクセス性の重視といった相容れない機能の両立をはかって記録情報を光ディスクマガジンシステムによって一体不可分に記録させておくことができる。
【００３０】
すなわち、本発明は、記録情報の光記録媒体への記録を、記録情報の中の管理データと、この管理データに関わる記録情報の中の主たる情報データとに分けて、互いに記録目的に合わせて記録・再生フォーマットが異なる複数の薄型光ディスクが格納されているマガジンに対して、両データの記録目的の相違に対応した最適な記録・再生フォーマットの薄型光ディスクに選択的に実行するものである。
【００３１】
この場合、ランダム性を追求する記録・再生フォーマットとしては、セクタサイズの小さい光記録媒体としての光磁気ディスクで採用していた記録・再生フォーマットでもよい。また、これら光記録媒体を駆動するドライブ装置がそれぞれの記録・再生フォーマットに対して対応している。
【発明の効果】
【００３２】
本発明によれば、複数枚の薄型光ディスクを同一のマガジンに格納することにより、光ディスクマガジンとして機械的な強度を損なうことなく、個々の光ディスクの薄型化をはかることができ、体積当たりの記録容量も増大させることができる。
【００３３】
また、本発明によれば、記録・再生フォーマットが異なる複数枚の薄型光ディスクを同一のマガジンに格納することにより、記録容量の有効的な配置とランダムアクセス性の重視といった光記録媒体のフォーマット的に相容れない機能の両立をはかって、光記録媒体を効率良く駆動することができ、アクセス性能が良く大記録容量を有する光記録媒体を提供できる。
【００３４】
より具体的には、記録情報の中の主たる情報データに比べて一般に記録単位としては小さな容量である記録情報の中の管理データを、同一のマガジンに一体的に格納されている複数の使用形態に応じたフォーマットの薄型光ディスクに記録しておくことによって、情報データの修正が発生する度に書き直す必要があり、アクセスする際には最初に読み書きする記録情報の中の管理データを、機能的に最適化して記録しておくことができる。
【発明を実施するための最良の形態】
【００３５】
以下に、本発明の光ディスクマガジンシステム、及び記録・再生システムの実施の形態について、図面を用いて具体的に説明する。
【００３６】
図１は、本発明の一実施の形態による光ディスクマガジンの斜視図である。
図１において、光ディスクマガジン１は、マガジンケース２と、マガジンケース２内部に格納された複数枚の薄型光ディスク１０とを備えて構成されている。
【００３７】
図１においては、図示省略したが、マガジンケース２の開口部３には、薄型光ディスク１０の脱落を防止するため蓋体（図示せず）等が着脱可能に設けられている。通常、光ディスクマガジン１は、後述する記録・再生システムに装着されていない状態では、マガジンケース２の開口部３はこの蓋体によって閉塞されており、記録・再生システムに装着された場合には、この蓋体は開放され、マガジンケース２の開口部３を介して、マガジンケース２内部から、所望の薄型光ディスク１０を取り出し可能になる。
【００３８】
図示の例では、マガジンケース２の内部には、薄型光ディスク１０として４枚の薄型光ディスク１０−１〜１０−４が収納されている。
【００３９】
この４枚の薄型光ディスク１０−１〜１０−４は、ランダムアクセスを可能にするためにディスク径方向に物理フォーマットがアライメントされ、回転時にトラック間移動してもこの物理フォーマットによってアドレスが検出可能な記録・再生フォーマットによるＣＡＶ駆動対象の薄型光ディスク１１と、セクタ又はブロックサイズが大きく、実装効率の良い記録・再生フォーマットによるＣＬＶ駆動対象の薄型光ディスク１２とに大別される。
【００４０】
この場合における、前者のランダムアクセスが可能な記録・再生フォーマットによる薄型光ディスク１１の具体例としては、例えばＤＶＤ−ＲＡＭが該当する。また、このＤＶＤ−ＲＡＭ以外の薄型光ディスク１１の具体例としては、ＩＳＯで規定された光磁気ディスクのような記録・再生フォーマットのディスクであってもよい。
【００４１】
これに対し、後者のセクタ又はブロックサイズが大きく、実装効率の良い記録・再生フォーマットによる薄型光ディスク１２の具体例としては、例えば、ＤＶＤ−ＲやＤＶＤ＋Ｒ，ＤＶＤ−ＲＷ，ＤＶＤ＋ＲＷが該当する。特に、アーカイブファイルとして保存性，改竄防止効果のあるライトワンス型光ディスクを用いた場合には、ランダムアクセス性に優れる薄型光ディスク１１との協調により、更新時の信頼性向上等の使い勝手が改善される。
【００４２】
図１に示した光ディスクマガジン１の場合では、ランダムアクセスが可能な記録・再生フォーマットによる薄型光ディスク１１として薄型光ディスク１０−１を備え、実装効率の良い記録・再生フォーマットによる薄型光ディスク１２として薄型光ディスク１０−２〜１０−４を備えた構成になっている。
【００４３】
この場合、光ディスクマガジン１の実装効率の良い記録・再生フォーマットによる薄型光ディスク１２としての薄型光ディスク１０−２〜１０−４は、必ずしも全てが同じ記録・再生フォーマットのディスクである必要はなく、これら薄型光ディスク１０−２〜１０−４相互でも、実装効率の良い記録・再生フォーマットによる薄型光ディスク１２でありさえすれば、上述したＤＶＤ−ＲやＤＶＤ＋Ｒ，ＤＶＤ−ＲＷ，ＤＶＤ＋ＲＷが混在していてもよく、さらには記録が行えない再生専用の各種ＲＯＭディスクが混在していてもよい。
【００４４】
なお、光ディスクマガジン１に格納されている薄型光ディスク１０の総数、この薄型光ディスク１０の総数における、ランダムアクセスが可能な記録・再生フォーマットによる薄型光ディスク１１と実装効率の良い記録・再生フォーマットによる薄型光ディスク１２との枚数内訳は、少なくとも両方の記録・再生フォーマットによる薄型光ディスク１１，１２が１枚ずつ格納されていれば、図示の例に限るものではない。
【００４５】
図２は、上述したランダムアクセス性に優れた記録・再生フォーマットによる薄型光ディスクの一例の説明図である。
【００４６】
図２において、薄型光ディスク１１のフォーマット配置として、ゾーン２０毎にヘッダ配置が異なる様子をゾーン２０−１，ゾーン２０−２を例に示したものである。
【００４７】
薄型光ディスク１１の各ゾーン２０−１，２０−２の中ではアドレス情報を記録するヘッダ部２１が径方向に配置されている。ここで、ゾーン２０−１の中のヘッダ部２１は、当該ゾーン２０−１の周方向に一定の割合で配置され、当該ゾーン２０−１を周方向すなわちディスク回転方向に均等なブロックに分割していることを示している。
【００４８】
薄型光ディスク１１の半径位置によってゾーン２０−１，２０−２をブロック分割するのは、ディスク全体の記録容量を増やすための工夫であり、各分割したゾーン２０−１，２０−２の中のヘッダ数は、図２では示していないが異なる場合がある。
【００４９】
図２に示したごとくの構成の薄型光ディスク１１を用いれば、それぞれヘッダ部２１を基にしてゾーン２０−１，２０−２それぞれのブロック内の記録場所を特定することができ、ディスク全体の記録容量を増やすことができる。
【００５０】
上記説明したように、複数枚の薄型光ディスク１０を同一のマガジンケース２に格納し、かつこの複数枚の薄型光ディスク１０は、ランダムアクセスが可能な記録・再生フォーマットによる薄型光ディスク１１と実装効率の良い記録・再生フォーマットによる薄型光ディスク１２とを少なくとも１枚ずつ含み、このような光ディスクマガジン１を作ることにより、例えば外部から記録情報を光ディスクマガジン１に記録する場合に、この記録情報の管理データをランダムアクセスが可能な記録・再生フォーマットによる薄型光ディスク１１に記憶し、この記録情報の情報データを実装効率の良い記録・再生フォーマットによる薄型光ディスク１２に記憶することにより、それぞれの記録・再生フォーマットの特徴すなわち利点を生かした、使い勝手の良い記録媒体システムを構成することができる。
【００５１】
この際、光ディスクマガジン１に格納された各薄型光ディスク１０は、運用上一体として看做せるものであればよく、必ずしも固定的に常時一体化されなければならないものではない。
【００５２】
なお、上述した記録・再生フォーマットの異同とは、ＣＡＶ駆動とＣＬＶ駆動とのアライメント，セクタ長・ブロック長の違いによる格納効率の差を踏まえたものであり、例えば、一の光ディスクマガジン１におけるＤＶＤ−ＲＡＭとＤＶＤ−Ｒとの組み合わせは、その典型的な例である。
【００５３】
次に、上述のように構成される光ディスクマガジンシステムが適用される光ディスク記録・再生システムについて、図面とともに説明する。
【００５４】
図３は、本発明の光ディスク記録・再生システムの一実施の形態の構成図である。
【００５５】
図３において、本実施の形態の光ディスク記録・再生システム３０は、図１に示した光ディスクマガジン１がシステム内に挿入され、マガジンケース２の開口部３が開口されると、まず、光ディスクマガジン１に格納された記録情報の管理データが記録されているランダムアクセスが可能な記録・再生フォーマットによる薄型光ディスク１１をマガジンケース２から取り出すために、ロボットアーム３１をマガジンケース２内に挿入する。
【００５６】
この場合、例えば、光ディスクマガジン１の構成を、薄型光ディスク１１がマガジンケース２内のディスク軸線方向一方側から常時配置されている構成としておけば、光ディスク記録・再生システム３０は、ロボットアーム３１を使って、記録情報の管理データが記録されているランダムアクセスが可能な記録・再生フォーマットによる薄型光ディスク１１を、光ディスクマガジン１から容易に取り出すことができる。
【００５７】
次に、光ディスク記録・再生システム３０は、この取り出した薄型光ディスク１１を、光ディスク記録・再生システム３０に備えられている複数のドライブシステム３２−１，３２−２の一方のドライブシステム３２−１のディスク情報記録再生用スピンドルにマグネットチャック等により装着する。その上で、光ディスク記録・再生システム３０は、ドライブシステム３２−１のディスク情報記録再生用スピンドルが接続されたドライブ機構をＣＡＶ駆動する。
【００５８】
前述したように、この薄型光ディスク１１には、光ディスクマガジン１内の全て又は所定の実装効率の良い記録・再生フォーマットによる薄型光ディスク１２に記録されている記録情報の情報データと対応をなすその記録情報の管理データが記録されているから、光ディスク記録・再生システム３０は、このＣＡＶ駆動するドライブシステム３２−１によって、ランダムアクセスが可能な記録・再生フォーマットによる再生を行い、目的とする記録情報の管理データを探し出す。
【００５９】
この結果、目的とする記録情報の管理データがあれば、光ディスク記録・再生システム３０は、そのデータ再生内容に基づいてロボットアーム３１を使って、当該目的とする記録情報の情報データが記録されている実装効率の良い記録・再生フォーマットによる薄型光ディスク１２を、同じ光ディスクマガジン１から取り出し、これを複数のドライブシステム３２−１，３２−２の他方のドライブシステム３２−２のディスク情報記録再生用スピンドルにマグネットチャック等により装着する。その上で、光ディスク記録・再生システム３０は、ドライブシステム３２−２のディスク情報記録再生用スピンドルが接続されたドライブ機構をＣＬＶ駆動する。なお、図示の例では、ロボットアーム３１は、ロボットアーム移動機構３３によって、両ドライブシステム３２−１，３２−２間を移動可能になっている。
【００６０】
そして、光ディスク記録・再生システム３０は、先に再生した目的とする記録情報の管理データに基づいて、当該取り出した実装効率の良い記録・再生フォーマットによる薄型光ディスク１２に記録されている目的とする記録情報の情報データを再生する。
【００６１】
この場合、一方のドライブシステム３２−１は、装着された薄型光ディスク１１からディスク径方向にアライメントされた物理フォーマットによってアドレスを検出して、ランダムアクセス性に優れた記録・再生フォーマットにより記録されている記録情報の管理データを再生する管理データ記録・再生手段として機能する。また、他方のドライブシステム３２−２は、先に管理データ記録・再生手段としての一方のドライブシステム３２−１によって再生された記録情報の管理データに基づいて、装着された薄型光ディスク１２から、セクタ又はブロックサイズが大きく記録長の長いシーケンシャルデータを記録するために適した記録・再生フォーマットにより記録されている記録情報の管理データを再生する情報データ記録・再生手段として機能する。
【００６２】
このような本実施の形態の光ディスク記録・再生システム３０によれば、記録情報の管理データについては、管理データ記録・再生手段としてのＣＡＶ駆動するドライブシステム３２−１によってランダムアクセスを用いて迅速に再生取得することができ、記録情報の管理データについては、情報データ記録・再生手段としてのＣＬＶ駆動するドライブシステム３２−２によって一括して迅速に再生取得することができる。
【００６３】
また、光ディスクマガジン１へ情報を記録する場合は、光ディスク記録・再生システム３０は、記録情報に関して管理データと情報データとを作成し、記録情報の管理データについては、管理データ記録・再生手段としてのＣＡＶ駆動するドライブシステム３２−１によって、薄型光ディスク１１にランダムアクセスが可能な記録・再生フォーマットで記録し、記録情報の情報データについては、情報データ記録・再生手段としてのＣＬＶ駆動するドライブシステム３２−２によって、薄型光ディスク１２にセクタ又はブロックサイズが大きく記録長の長いシーケンシャルデータを記録するために適した記録・再生フォーマットで記録する。
【００６４】
本実施の形態の光ディスク記録・再生システム３０は、以上述べたように構成されるが、これに限られるものではなく、例えば、管理データ記録・再生手段と情報データ記録・再生手段とは、それぞれマルチディスクドライブシステムによって構成してもよく、それぞれを一のマルチディスクドライブシステムで兼用するように構成してもよい。
【図面の簡単な説明】
【００６５】
【図１】本発明の一実施の形態による光ディスクマガジンの斜視図である。
【図２】ランダムアクセス性に優れた記録・再生フォーマットによる薄型光ディスクの一例の説明図である。
【図３】本発明の光ディスクマガジンシステムの一実施の形態の構成図である。
【符号の説明】
【００６６】
１  光ディスクマガジン
２  マガジンケース
３  開口部
１０  薄型光ディスク
１１  薄型光ディスク（ＤＶＤ−ＲＡＭ）
１２  薄型光ディスク（ＤＶＤ−Ｒ）
２０  ゾーン
２１  ヘッダ部
３０  光ディスク記録・再生システム
３１  ロボットアーム
３２−１，３２−２  ドライブシステム
３３  ロボットアーム移動機構
【図１】
2007265514.tif 000003
【図２】
2007265514.tif 000004
【図３】
2007265514.tif 000005